(57)【要約】      （修正有）【課題】箱体の蓋部を容易に開けることができると共に、蓋部の開放状態での物品の取出作業性に優れる箱用シートを提供する。【解決手段】箱用シートは、１枚の段ボールシートからなり、箱型に組立可能であり、左右方向の一方側から他方側に交互に連接され、四角筒状に組み立てられる一対の長さ面パネル１及び一対の幅面パネル２と、一対の長さ面パネル１の上縁から延出し、組立時に先端縁３ａ同士が突き合わされる一対の蓋外フラップ３と、一対の幅面パネル２の上縁から延出し、組立時に一対の蓋外フラップ３の内面に貼り合わされる一対の蓋内フラップ４とを備え、一対の蓋内フラップ４が、一対の幅面パネル２との境界で幅方向の両端に亘って延びる一対の第１破断容易線１３と、一対の蓋外フラップ３の突き合わせ部分と重なり合う位置で延出方向の両端に亘って延びる一対の第２破断容易線１４とを有する。【選択図】図１
0003222842.tif 000002
【実用新案登録請求の範囲】
【請求項１】
１枚の段ボールシートからなり、
箱型に組立可能であり、
左右方向の一方側から他方側に交互に連接され、四角筒状に組み立てられる一対の長さ面パネル及び一対の幅面パネルと、
上記一対の長さ面パネルの上縁から延出し、組立時に先端縁同士が突き合わされる一対の蓋外フラップと、
上記一対の幅面パネルの上縁から延出し、組立時に上記一対の蓋外フラップの内面に貼り合わされる一対の蓋内フラップと
を備え、
上記一対の蓋内フラップが、
上記一対の幅面パネルとの境界で幅方向の両端に亘って延びる一対の第１破断容易線と、
上記一対の蓋外フラップの突き合わせ部分と重なり合う位置で延出方向の両端に亘って延びる一対の第２破断容易線と
を有する箱用シート。
【請求項２】
上記蓋外フラップの先端縁に１又は複数の指掛け用の第１凹部が形成される請求項１に記載の箱用シート。
【請求項３】
上記蓋外フラップが、上記１又は複数の第１凹部を形成するための１又は複数の折り込み片を有する請求項２に記載の箱用シート。
【請求項４】
上記蓋外フラップが、上記蓋内フラップと重なり合う位置に上記折り込み片を有し、
上記蓋内フラップの上記折り込み片と重なり合う位置に指掛け用の第２凹部が形成される請求項３に記載の箱用シート。
【請求項５】
上記第２凹部が、上記蓋内フラップの先端縁に位置する請求項４に記載の箱用シート。
【考案の詳細な説明】
【技術分野】
【０００１】
本考案は、箱用シートに関する。
【背景技術】
【０００２】
物品の保管、運搬等に段ボールシートから組み立てられる箱体が広く用いられている。中でも、左右方向に交互に連接される一対の長さ面パネル及び一対の幅面パネルを四角筒状に組み立てたうえ、一対の幅面パネルの下縁から延出する一対の底内フラップ及び一対の長さ面パネルの下縁から延出する一対の底外フラップを内側に折り曲げて底部を形成し、一対の幅面パネルの上縁から延出する一対の蓋内フラップ及び一対の長さ面パネルの上縁から延出する一対の蓋外フラップを内側に折り曲げて蓋部を形成することで組み立てられるＡ式（いわゆるミカン箱タイプ）の箱体が最も多く利用されている。
【０００３】
この箱体は、通常一対の底外フラップの突き合わせ部分、及び一対の蓋外フラップの突き合わせ部分に封函テープを貼り付けることで底部及び蓋部が封止される（実用新案登録第３２１３９９３号公報参照）。
【先行技術文献】
【特許文献】
【０００４】
【特許文献１】実用新案登録第３２１３９９３号公報
【考案の概要】
【考案が解決しようとする課題】
【０００５】
しかしながら、上記従来の箱体は、蓋部を開ける際に、封函テープを剥離したうえ、一対の蓋外フラップ及び一対の蓋内フラップを別々にこの順で開くことを要する。また、この従来の箱体は、蓋部を開けた状態で一対の蓋外フラップ及び一対の蓋内フラップがそれぞれ片持ち梁状に保たれるので、蓋部の開放後に箱体内の物品を取り出し難い場合がある。
【０００６】
本考案は、このような不都合に鑑みてなされたものであり、箱体の蓋部を容易に開けることができると共に、蓋部の開放状態での物品の取出作業性に優れる箱用シートの提供を課題とする。
【課題を解決するための手段】
【０００７】
上記課題を解決するためになされた本考案に係る箱用シートは、１枚の段ボールシートからなり、箱型に組立可能であり、左右方向の一方側から他方側に交互に連接され、四角筒状に組み立てられる一対の長さ面パネル及び一対の幅面パネルと、上記一対の長さ面パネルの上縁から延出し、組立時に先端縁同士が突き合わされる一対の蓋外フラップと、上記一対の幅面パネルの上縁から延出し、組立時に上記一対の蓋外フラップの内面に貼り合わされる一対の蓋内フラップとを備え、上記一対の蓋内フラップが、上記一対の幅面パネルとの境界で幅方向の両端に亘って延びる一対の第１破断容易線と、上記一対の蓋外フラップの突き合わせ部分と重なり合う位置で延出方向の両端に亘って延びる一対の第２破断容易線とを有する。
【考案の効果】
【０００８】
本考案に係る箱用シートは、箱体の蓋部を容易に開けることができると共に、蓋部の開放状態での物品の取出作業性に優れる。
【図面の簡単な説明】
【０００９】
【図１】図１は、本考案の一実施形態に係る箱用シートを示す模式的平面図である。
【図２】図２は、図１の箱用シートを組み立ててなる箱体を示す模式的斜視図である。
【図３】図３は、図２の箱体の平面図である。
【図４】図４は、図３の箱体の第１凹部及び第２凹部を形成した状態を示す平面図である。
【図５】図５は、図２の箱体の蓋部の開放状態を示す斜視図である。
【考案を実施するための形態】
【００１０】
［本考案の実施形態の説明］
最初に本考案の実施態様を列記して説明する。
【００１１】
本考案に係る箱用シートは、１枚の段ボールシートからなり、箱型に組立可能であり、左右方向の一方側から他方側に交互に連接され、四角筒状に組み立てられる一対の長さ面パネル及び一対の幅面パネルと、上記一対の長さ面パネルの上縁から延出し、組立時に先端縁同士が突き合わされる一対の蓋外フラップと、上記一対の幅面パネルの上縁から延出し、組立時に上記一対の蓋外フラップの内面に貼り合わされる一対の蓋内フラップとを備え、上記一対の蓋内フラップが、上記一対の幅面パネルとの境界で幅方向の両端に亘って延びる一対の第１破断容易線と、上記一対の蓋外フラップの突き合わせ部分と重なり合う位置で延出方向の両端に亘って延びる一対の第２破断容易線とを有する。
【００１２】
当該箱用シートは、箱体に組み立てられた状態で一対の蓋外フラップを開くことで、一対の蓋内フラップに形成される第２破断容易線及び第１破断容易線を破断しつつ、一対の蓋内フラップを上記一対の蓋外フラップと同時かつ一体的に開くことができる。従って、当該箱用シートは、箱体の蓋部を容易に開けることができると共に、蓋部の開放状態での物品の取出作業性に優れる。
【００１３】
上記蓋外フラップの先端縁に１又は複数の指掛け用の第１凹部が形成されるとよい。このように、上記蓋外フラップの先端縁に１又は複数の指掛け用の第１凹部が形成されることによって、上記一対の蓋外フラップ及びこれらの蓋外フラップに貼り合わされる上記一対の蓋内フラップを、上記一対の蓋外フラップの先端縁側から容易に開くことができる。
【００１４】
上記蓋外フラップが、上記１又は複数の第１凹部を形成するための１又は複数の折り込み片を有するとよい。このように、上記蓋外フラップが、上記１又は複数の第１凹部を形成するための１又は複数の折り込み片を有することによって、内容物の保管時、運搬時等には上記第１凹部を閉じた状態で保持することで上記一対の蓋外フラップ同士の間に隙間ができるのを抑制すると共に、上記蓋部の開放時に上記１又は複数の第１凹部を容易に形成することができる。これにより、上記箱体内への異物の混入や、上記箱体の意図しない破断等を抑えつつ、上記蓋部を容易に開けることができる。
【００１５】
上記蓋外フラップが、上記蓋内フラップと重なり合う位置に上記折り込み片を有し、上記蓋内フラップの上記折り込み片と重なり合う位置に指掛け用の第２凹部が形成されるとよい。このように、上記蓋外フラップが、上記蓋内フラップと重なり合う位置に上記折り込み片を有し、上記蓋内フラップの上記折り込み片と重なり合う位置に指掛け用の第２凹部が形成されることによって、上記一対の蓋外フラップ及び上記一対の蓋内フラップを一体的に容易かつ確実に開くことができる。
【００１６】
上記第２凹部が、上記蓋内フラップの先端縁に位置するとよい。このように、上記第２凹部が、上記蓋内フラップの先端縁に位置することによって、上記一対の蓋外フラップ及び上記一対の蓋内フラップをより容易に開くことができる。
【００１７】
なお、本考案において、「左右方向」とは、箱用シートを組み立ててなる箱体の想定される一般的な使用態様における水平方向を意味し、「上」とは、想定される一般的な使用態様における上を意味する。また、「内」とは、箱体における内を意味し、「外」とは、箱体における外を意味する。
【００１８】
［本考案の実施形態の詳細］
以下、適宜図面を参照しつつ、本考案の実施の形態を詳説する。
【００１９】
［箱用シート］
図１の箱用シートは、１枚の段ボールシートからなる。当該箱用シートは、箱型に組立可能であり、具体的には図２〜図５の箱体２０に組み立てられる。当該箱用シートは、左右方向の一方側から他方側に交互に連接され、四角筒状に組み立てられる一対の長さ面パネル１及び一対の幅面パネル２と、一対の長さ面パネル１の上縁から延出し、組立時に先端縁３ａ同士が突き合わされる一対の蓋外フラップ３と、一対の幅面パネル２の上縁から延出し、組立時に一対の蓋外フラップ３の内面に貼り合わされる一対の蓋内フラップ４とを備える。また、当該箱用シートは、一対の長さ面パネル１の下縁から延出する一対の底外フラップ５と、一対の幅面パネル２の下縁から延出する一対の底内フラップ６と、左右方向外側に位置する長さ面パネル１の幅面パネル２との連接側と反対側の側縁に連接される糊代７とを備える。なお、図１において、太い実線はシートを切断して形成される切断線を示し、細い実線はシートの内面を筋押しして形成される罫線を示す。また、「下」とは、当該箱用シートを組み立ててなる箱体の想定される一般的な使用態様における下を意味する。
【００２０】
当該箱用シートを図２の箱体２０に組み立てる手順について説明する。
【００２１】
まず、左右方向外側に位置する長さ面パネル１をこの長さ面パネル１に隣接する幅面パネル２の内面側に折り重ね、左右方向外側に位置する幅面パネル２をこの幅面パネル２に隣接する長さ面パネル１の内面側に折り重ねる。そして、折り重ねた幅面パネル２の内面に糊代７を貼着する。これにより、一対の長さ面パネル１及び一対の幅面パネル２が無端状に接続される。幅面パネル２への糊代７の貼着は、例えば接着剤、ステープラー等を用いて行うことができる。
【００２２】
次に、無端状に接続された一対の長さ面パネル１及び一対の幅面パネル２を四角筒状に広げたうえ、一対の底内フラップ６を内側に略直角に折り曲げ、さらに一対の底外フラップ５を内側に略直角に折り曲げることで底部を組み立てる。当該箱用シートは、一対の底内フラップ６の外面と一対の底外フラップ５の内面とをホットメルト接着剤等の接着剤で接着して上記底部を閉塞してもよく、一対の底外フラップ５の先端縁同士の突き合わせ部に封函テープを貼ることで上記底部を閉塞してもよい。
【００２３】
続いて、上記底部まで組み立てた箱体内に必要に応じて物品を収容した後、一対の蓋内フラップ４を内側に略直角に折り曲げ、さらに一対の蓋外フラップ３を内側に略直角に折り曲げることで蓋部を組み立てる。この際、一対の蓋内フラップ４の外面と一対の蓋外フラップ３の内面とをホットメルト接着剤で貼り合わせる。これによりＡ式（いわゆるミカン箱タイプ）の箱体２０が組み立てられる。
【００２４】
当該箱用シートに用いられる段ボールシートとしては、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。
【００２５】
（長さ面パネル）
一対の長さ面パネル１は、矩形状かつ略同形状に形成されている。一対の長さ面パネル１の左右方向長さは一対の幅面パネル２の左右方向長さよりも大きい。一対の長さ面パネル１の左右方向長さとしては、箱体２０内に収容する物品の大きさ等に基づいて適宜設定可能であるが、例えば２０ｃｍ以上５０ｃｍ以下とすることができる。一対の長さ面パネル１の上下方向長さとしては、箱体内に収容する物品の大きさ等に基づいて適宜設定可能であるが、例えば２０ｃｍ以上５０ｃｍ以下とすることができる。
【００２６】
（幅面パネル）
一対の幅面パネル２は、矩形状かつ略同形状に形成されている。一対の幅面パネル２の左右方向長さとしては、箱体２０内に収容する物品の大きさ等に基づいて適宜設定可能であるが、例えば１０ｃｍ以上４０ｃｍ以下とすることができる。一対の幅面パネル２の上下方向長さは、一対の長さ面パネル１の上下方向長さと略同じである。
【００２７】
一対の幅面パネル２の上部には、箱体２０の持ち運び時等に作業者が手を掛けるための手掛け穴を形成するための一対の手掛け穴形成部１１が設けられている。手掛け穴形成部１１は、幅面パネル２の左右方向中央部に設けられている。手掛け穴形成部１１は、幅面パネル２の内面側に折り込まれることで手掛け穴を形成する折り込み片である。手掛け穴形成部１１は、幅面パネル２の上縁と平行な折り曲げ容易線１１ａと、この折り曲げ容易線１１ａの両端に連接され、下方に凸な破断線１１ｂとによって画定される。
【００２８】
（蓋外フラップ）
一対の蓋外フラップ３は、矩形状かつ略同一形状に形成されている。一対の蓋外フラップ３の幅は、一対の長さ面パネル１の左右方向長さと略同じである。一対の蓋外フラップ３の延出方向長さは、幅面パネル２の左右方向長さの略１／２である。
【００２９】
図４及び図５に示すように、各蓋外フラップ３の先端縁３ａには、一対の指掛け用の第１凹部２２が形成される。これにより、当該箱用シートは、箱体２０に組み立てられた状態で、蓋外フラップ３の先端縁３ａに一対の第１凹部２２を形成することができる。これにより、当該箱用シートは、一対の蓋外フラップ３及びこれらの蓋外フラップ３に貼り合わされる一対の蓋内フラップ４を一対の蓋外フラップ３の先端縁３ａ側から容易に開くことができる。換言すると、当該箱用シートは、作業者が一対の第１凹部２２に指を掛け、一対の蓋外フラップ３をその先端縁３ａ側から上方に持ち上げることで、一対の蓋外フラップ３を一対の蓋内フラップ４と一体的に容易に開くことができる。
【００３０】
図１〜図３に示すように、各蓋外フラップ３は、一対の第１凹部２２を形成するための一対の折り込み片（第１折り込み片１２）を有する。換言すると、第１凹部２２は第１折り込み片１２と１対１で対応しており、第１折り込み片１２の折り込みによって第１凹部２２が形成される。この構成によると、当該箱用シートは、上記蓋部を開ける際にのみ一対の第１凹部２２を容易に形成することができる。そのため、当該箱用シートは、内容物の保管時、運搬時等には第１凹部２２を閉じた状態で保持することで一対の蓋外フラップ３同士の間に隙間ができるのを抑制し、箱体２０内への異物の混入や、箱体２０の意図しない破断等を十分に抑えることができる。また、当該箱用シートは、箱体２０の蓋部を開放する直前に一対の第１凹部２２を形成し、この蓋部を容易に開けることができる。
【００３１】
第１折り込み片１２は、蓋外フラップ３の先端縁３ａと平行な折り曲げ容易線１２ａと、この折り曲げ容易線１２ａの両端から蓋外フラップ３の先端縁３ａに至る一対の破断容易線１２ｂとによって画定される。つまり、第１凹部２２は、一対の破断容易線１２ｂを破断し、一対の破断容易線１２ｂで囲まれる部分を折り曲げ容易線１２ａで折り曲げることで形成される。一対の破断容易線１２ｂは、折り曲げ容易線１２ａに対して垂直に延びている。
【００３２】
第１凹部２２の平均幅Ｗの下限としては、１．５ｃｍが好ましく、２．５ｃｍがより好ましい。一方、上記平均幅Ｗの上限としては、４．５ｃｍが好ましく、３．５ｃｍがより好ましい。上記平均幅Ｗが上記下限に満たないと、第１凹部２２に指を掛け難くなり、箱体２０の蓋部の開放作業をスムーズに行い難くなるおそれがある。逆に、上記平均幅Ｗが上記上限を超えると、第１凹部２２が不必要に大きくなり、第１凹部２２から異物が混入するおそれや、第１凹部２２を起点として、蓋外フラップ３が破断するおそれがある。また、上記平均幅Ｗが上記上限を超えると、作業者の指による第１折り込み片１２の押し込みによって第１凹部２２を形成するのが容易でなくなるおそれがある。なお、「第１凹部の平均幅」とは、第１凹部を画定する一対の側縁（本実施形態では一対の破断容易線１２ｂ）の蓋外フラップの幅方向に対向する端部同士（蓋外フラップの延出方向の先端側で対向する端部同士及び基端側で対向する端部同士）の間隔を平均した値をいう。
【００３３】
第１凹部２２の平均深さＤの下限としては、１ｃｍが好ましく、１．５ｃｍがより好ましい。一方、上記平均深さＤの上限としては、３ｃｍが好ましく、２．５ｃｍがより好ましい。上記平均深さＤが上記下限に満たないと、第１凹部２２に指を掛け難くなり、箱体２０の蓋部の開放作業をスムーズに行い難くなるおそれがある。逆に、上記平均深さＤが上記上限を超えると、第１凹部２２が不必要に大きくなり、第１凹部２２から異物が混入するおそれや、第１凹部２２を起点として、蓋外フラップ３が破断するおそれがある。また、上記平均深さＤが上記上限を超えると、作業者の指による第１折り込み片１２の押し込みによって第１凹部２２を形成するのが容易でなくなるおそれがある。なお、「第１凹部の平均深さ」とは、第１凹部を画定する底縁（本実施形態では折り曲げ容易線１２ａ）の幅方向の両端部における深さ（上記底縁の両端部と蓋外フラップの先端縁との上記蓋外フラップの延出方向における間隔）を平均した値をいう。
【００３４】
図２〜図４に示すように、蓋外フラップ３は、箱体２０に組み立てられた状態で蓋内フラップ４と重なり合う位置に第１折り込み片１２を有している。より詳しくは、第１折り込み片１２は、箱体２０において蓋内フラップ４の先端縁４ａと重なり合う位置に設けられている。
【００３５】
（蓋内フラップ）
一対の蓋内フラップ４は、矩形状かつ略同一形状に形成されている。一対の蓋内フラップ４の幅は、一対の幅面パネル２の左右方向長さと略同じである。一対の蓋内フラップ４の延出方向長さは、一対の蓋外フラップ３の延出方向長さと略同じである。
【００３６】
各蓋内フラップ４は、幅面パネル２との境界で幅方向の両端に亘って延びる第１破断容易線１３と、一対の蓋外フラップ３の突き合わせ部分と重なり合う位置で蓋内フラップ４の延出方向の両端に亘って延びる第２破断容易線１４とを有する。第１破断容易線１３は、長手方向の中央部で第２破断容易線１４と接続されている。第２破断容易線１４は直線状である。
【００３７】
図５に示すように、蓋内フラップ４には、蓋外フラップ３に形成される第１凹部２２と重なり合う指掛け用の第２凹部２５が形成される。第２凹部２５は、蓋内フラップ４の第１折り込み片１２と重なり合う位置に形成される。当該箱用シートは、蓋内フラップ４の第１折り込み片１２と重なり合う位置に第２凹部２５が形成されることによって、箱体２０の蓋部を開ける際に作業者の指に押圧される部分の強度を大きくして、蓋部の開放時における蓋部の意図しない破断を抑制することができる。また、この構成によると、当該箱用シートは、上記蓋部の開放時に蓋内フラップ４が蓋外フラップ３から剥離するのを容易に防止できる。
【００３８】
図１及び図２に示すように、各蓋内フラップ４は、一対の第２凹部２５を形成するための一対の折り込み片（第２折り込み片１５）を有する。換言すると、第２凹部２５は第２折り込み片１５と１対１で対応しており、第２折り込み片１５の折り込みによって第２凹部２５が形成される。
【００３９】
各蓋内フラップ４に設けられる一対の第２折り込み片１５同士は、蓋内フラップ４の幅方向の中央部を横断する上述の第２破断容易線１４を境界線として互いに接している。各第２折り込み片１５は、箱体２０に組み立てられて状態で、平面視において第１折り込み片１２と１対１で重なり合う。第１折り込み片１２と第２折り込み片１５との平面形状は略同じである。各第２折り込み片１５は、隣接する他の第２折り込み片１５との境界を画定する第２破断容易線１４（より詳しくは第２破断容易線１４の一部）と、蓋内フラップ４の先端縁４ａを一端として蓋内フラップ４の延出方向基端側に延びる折り曲げ容易線１５ａと、蓋内フラップ４の延出方向基端側においてこの折り曲げ容易線１５ａの端部と第２破断容易線１４とに接続される破断容易線１５ｂとによって画定される。折り曲げ容易線１５ａは、第２破断容易線１４ｂと平行に配置される。破断容易線１５ｂは、第２破断容易線１４ｂと垂直に配置される。
【００４０】
第２凹部２５は、蓋内フラップ４の先端縁４ａに位置している。当該箱用シートは、第２凹部２５が蓋内フラップ４の先端縁４ａに位置していることで、第２折り込み片１５を画定する破断容易線の合計長さを小さくすることができ、第２凹部２５を形成しやすい。これにより、当該箱用シートは、一対の蓋外フラップ３及び一対の蓋内フラップ４をより容易に開きやすい。
【００４１】
図３及び図４に示すように、箱体２０に組み立てられて状態で一対の蓋内フラップ４の外面には、ホットメルト接着剤によって一対の蓋外フラップ３と貼り合わされる接着部４ｂが形成される。一対の蓋内フラップ４は、箱体２０に組み立てられる前の状態で、この接着部４ｂに対応する接着予定部を有する。
【００４２】
（底外フラップ）
一対の底外フラップ５は、矩形状かつ略同一形状に形成されている。一対の底外フラップ５の幅は、一対の長さ面パネル１の左右方向長さと略同じである。一対の底外フラップ５の延出方向長さは、幅面パネル２の左右方向長さの略１／２である。
【００４３】
（底内フラップ）
一対の底内フラップ６は、矩形状かつ略同一形状に形成されている。一対の底内フラップ６の幅は、一対の幅面パネル２の左右方向長さと略同じである。一対の底内フラップ６の延出方向長さは、一対の底外フラップ５の延出方向長さと略同じである。
【００４４】
＜蓋部の開放手順＞
図３〜図５を参照して、箱体２０の蓋部の開放手順について説明する。まず、図３に示すように一対の蓋外フラップ３及び一対の蓋内フラップ４がホットメルト接着剤で貼り合わされた状態で、図４に示すように一対の蓋外フラップに形成される各一対の第１折り込み片１２を内側に折り込む。これらの第１折り込み片１２の折り込みによって、各第１折り込み片１２の内側に重なり合う第２折り込み片１５が第１折り込み片１２と同時に内側に折り込まれる。
【００４５】
次に、一対の蓋外フラップ３の突き合わせ部分を挟んで対向する一対の第１凹部２２及びこの第１凹部２２に重なり合う一対の第２凹部２５に指を掛け、一対の蓋外フラップ３と一対の蓋内フラップ４とを同時に持ち上げる。これにより、一対の第２凹部２５に連続する第２破断容易線１４が蓋内フラップ４の先端側から破断していく。さらに、この第２破断容易線１４の破断が終わると、第１破断容易線１３が第２破断容易線１４との接続部分から破断していく。これにより、図５に示すように、蓋内フラップ４を蓋外フラップ３と一体的に開くことができる。
【００４６】
＜利点＞
当該箱用シートは、箱体２０に組み立てられた状態で一対の蓋外フラップ３を開くことで、一対の蓋内フラップ４に形成される第２破断容易線１４及び第１破断容易線１３を破断しつつ、一対の蓋内フラップ４を一対の蓋外フラップ３と同時かつ一体的に開くことができる。従って、当該箱用シートは、箱体２０の蓋部を容易に開けることができると共に、蓋部の開放状態での物品の取出作業性に優れる。
【００４７】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００４８】
例えば上記第１凹部の個数は一対に限定されるものではなく、各蓋外フラップに対して１個、又は３個以上設けられてもよい。さらに、箱体に蓋部の開放容易性が要求されない場合等であれば、上記一対の蓋外フラップに第１凹部を設けないことも可能である。
【００４９】
上記蓋外フラップに上記第１凹部が形成される場合でも、この第１凹部は必ずしも折り込み片の折り込みによって形成されなくてもよい。例えば上記第１凹部は、切欠きによって形成されてもよく、切断片の切断によって形成されてもよい。但し、箱体の蓋部を開ける際にのみ第１凹部を形成する観点、及び切断片の処分を要しない観点から、上記第１凹部は上述の折り込み片によって形成されることが好ましい。
【００５０】
上記第１凹部の形成位置は、必ずしも上記実施形態の位置に限定されるものではない。また、上記第１凹部が上記蓋内フラップと重なり合う位置に形成される場合、上記蓋内フラップに形成される第２凹部は、切欠き、切断片等によって形成されてもよい。
【００５１】
上記実施形態では、一対の底内フラップを内側に折り曲げ、さらに一対の底外フラップを内側に折り曲げることで箱体の底部を形成する構成について説明したが、当該箱用シートにおいて、箱体の底部を形成するための具体的な構成は特に限定されるものではない。
【産業上の利用可能性】
【００５２】
以上のように、本考案に係る箱用シートは、箱体の蓋部を容易に開けることができると共に、蓋部の開放状態での物品の取出作業性に優れるので、物品の保管用に適している。
【符号の説明】
【００５３】
１  長さ面パネル
２  幅面パネル
３  蓋外フラップ
３ａ  先端縁
４  蓋内フラップ
４ａ  先端縁
４ｂ  接着部
５  底外フラップ
６  底内フラップ
７  糊代
１１  手掛け穴形成部
１１ａ  折り曲げ容易線
１１ｂ  破断線
１２  第１折り込み片
１２ａ，１５ａ  折り曲げ容易線
１２ｂ，１５ｂ  破断容易線
１３  第１破断容易線
１４  第２破断容易線
１５  第２折り込み片
２０  箱体
２２  第１凹部
２５  第２凹部
【図１】
0003222842.tif 000003
【図２】
0003222842.tif 000004
【図３】
0003222842.tif 000005
【図４】
0003222842.tif 000006
【図５】
0003222842.tif 000007